(57)【要約】      （修正有）【課題】２つの接点を備えたフレキシブル回路板に接続できるコネクタを提供する。【解決手段】本コネクタ２は、殼体、フレキシブル回路板３、第１端子４、第２端子５、固定部、加圧部材６を含み、前記フレキシブル回路板は前記コネクタと電気的に接続され、第１接点と第２接点を含む。前記第１端子は相互に同じ方向に延伸され、並べて設置された可動アームと固定アームを備え、前記可動アームは一端に押圧部を備え、他端に被圧部を備えており、前記固定アームは前記殼体により固定される。前記第２端子は相互に同じ方向に延伸され、並べて設置された接触部と固定部を備え、前記固定部は前記殼体により固定される、前記加圧部材は前記被圧部を押さえる押さえ部を備えている。上述の構造により、前記加圧部材が変位操作を受けて予め定められた方向に変位したとき、前記第１端子と前記第２端子に前記第１接点と前記第２接点をそれぞれ押圧させて電気的接続を形成できる。【選択図】図３
0003157056.tif 000002
【実用新案登録請求の範囲】
【請求項１】
コネクタであって、殼体、第１端子、第２端子、加圧部材を含み、前記第１端子は相互に同じ方向に延伸され、かつ並べて設置された可動アームと固定アームを備え、そのうち、前記可動アームは一端に押圧部を備え、他端に被圧部を備えており、前記固定アームは前記殼体により固定され、前記第２端子は相互に同じ方向に延伸され、かつ並べて設置された接触部と固定部を備え、前記固定部は前記殼体により固定され、前記加圧部材が変位操作を受けてあらかじめ定められた方向に変位すると、前記加圧部材の押さえ部が前記可動アームの被圧部を押さえ、前記可動アームを梃子のように角変位させることができることを特徴とする、コネクタ。
【請求項２】
前記コネクタがフレキシブル回路板と電気的接続を形成することができ、前記フレキシブル回路板が第１接点と第２接点を含むことを特徴とする、請求項１に記載のコネクタ。
【請求項３】
前記可動アームと前記固定アームが連接部により連接されて１つの部材を形成することを特徴とする、請求項１に記載のコネクタ。
【請求項４】
前記固定アームが、前記押圧部近くの一端に接触端を備えていることを特徴とする、請求項１に記載のコネクタ。
【考案の詳細な説明】
【技術分野】
【０００１】
本考案はフレキシブル回路板の電気的接続に応用するコネクタであって、特に、２つの接点を備えたフレキシブル回路板に電気的に接続することができるコネクタに関する。
【背景技術】
【０００２】
フレキシブル回路板に電気的接続の効果を達させるため、通常このようなフレキシブル回路板はコネクタに接続されるが、該コネクタは殼体、端子、加圧部材を含み、該コネクタの加圧部材に作用させるとき、該加圧部材が前記端子に作用して、該端子を前記フレキシブル回路板に押圧させることができる。
【０００３】
図１と図２に従来のコネクタの実施を示す断面図１と２をそれぞれ示す。これらの図からはっきりと分かるように、従来のコネクタ１は殼体１１、端子１２、加圧部材１３を含み、前記端子１２が同じ方向に延伸されて並べて設けられた固定アーム１２１と可動アーム１２２を含み、前記固定アーム１２１は前記殼体１１上に固定され、前記可動アーム１２２は一端に押圧部１２３を備え、他端に被圧部１２４を備えており、且つ前記固定アーム１２１と前記可動アーム１２２は連接部１２５を利用して連接されて一体を成し、また前記加圧部材１３はカム１３１を備えている。
【０００４】
フレキシブル回路板１４をコネクタ１に挿入するとき、前記加圧部材１３に施力して該加圧部材１３をあらかじめ定められた一方向に向かって移動させると、該加圧部材１３のカム１３１が上に向かって前記被圧部１２４を押し動かし、且つ前記可動アーム１２２が前記連接部１２５を支点として角変位し、前記押圧部１２３が前記フレキシブル回路板１４を押さえ、これにより前記端子１２を前記フレキシブル回路板１４に電気的に接続させることができる。
【０００５】
しかしながら、上述のコネクタ１は使用時に次のような問題と欠点があり、改善が必要である。従来のコネクタ１は１つの端子しかなく、１つの接点に接続できるのみであり、科学技術が日進月歩である今日、電子部品は小型、薄型化、軽量化が設計のトレンドである状況において、改善の必要がある。
【０００６】
このため、上述の従来の問題と欠点をいかに解決するかが、本考案の考案者と関連産業に従事する関連メーカーが改善を研究する方向性である。
【考案の概要】
【考案が解決しようとする課題】
【０００７】
本考案の考案者は上述の欠点に鑑みて、関連資料を収集し、多方面の評価と考慮を経て、関連産業において蓄積した長年の経験に基づき、試作と修正を重ね、ついにこの２つの接点を備えたフレキシブル回路板に接続できるコネクタの実用新案の開発に至ったものである。
【０００８】
本考案の主な目的は、２つの接点を備えたフレキシブル回路板に接続できるコネクタを提供することにある。
【課題を解決するための手段】
【０００９】
上述の目的を達するため、本考案のコネクタは、殼体、フレキシブル回路板、第１端子、第２端子、固定部、加圧部材を含む。そのうち、前記フレキシブル回路板は前記コネクタと電気的に接続され、前記フレキシブル回路板は第１接点と第２接点を含む。前記第１端子は相互に同じ方向に延伸され、かつ並べて設置された可動アームと固定アームを備え、そのうち、前記可動アームは一端に押圧部を備え、他端に被圧部を備えており、前記固定アームは前記殼体により固定される。前記第２端子は相互に同じ方向に延伸され、かつ並べて設置された接触部と固定部を備え、前記固定部は前記殼体により固定される。前記加圧部材は前記被圧部を押さえることができる押さえ部を備えている。
【考案の効果】
【００１０】
上述の構造により、前記加圧部材が変位操作を受けてあらかじめ定められた方向に変位すると、該加圧部材の押さえ部が前記可動アームの被圧部を押さえ、前記可動アームを梃子のように角変位させ、さらに前記第１端子と前記第２端子に前記第１接点と前記第２接点をそれぞれ押圧させて電気的接続を形成する。
【図面の簡単な説明】
【００１１】
【図１】従来のコネクタの実施を示す断面図１である。
【図２】従来のコネクタの実施を示す断面図２である。
【図３】本考案の最良の実施例の立体図である。
【図４】本考案の最良の実施例の断面図である。
【図５】本考案の最良の実施例の実施を示す断面図１である。
【図６】本考案の最良の実施例の実施を示す断面図２である。
【図７】本考案のさらに別の実施例の実施を示す立体図１である。
【図８】本考案のさらに別の実施例の実施を示す断面図２である。
【図９】本考案のさらに別の実施例の実施を示す断面図３である。
【考案を実施するための形態】
【００１２】
上述の目的及び効果を達するため、本考案が採用する技術手段及び構造について、図面を参照し、本考案の最良の実施例に基づいてその特徴と機能を詳細に説明し、完全な理解を促す。
【００１３】
図３と図４に本考案の最良の実施例の立体図と断面図を示す。これらの図からはっきりと分かるように、本考案のコネクタ２は、殼体２１、フレキシブル回路板３、第１端子４、第２端子５、加圧部材６を含む。
【００１４】
前記フレキシブル回路板３は前記コネクタ２と電気的に接続され、該フレキシブル回路板３は第１接点３１と第２接点３２を含む。
【００１５】
前記第１端子４は相互に同じ方向に延伸され、かつ並べて設置された可動アーム４１と固定アーム４２を備え、そのうち、前記可動アーム４１は一端に押圧部４１１を備え、他端に被圧部４１２を備えており、前記固定アーム４２は前記殼体２１により固定され、前記可動アーム４１と前記固定アーム４２が連接部４３により１つの部材を形成し、また前記固定アーム４２は前記押圧部４１１近くの一端に接触端４２１が形成される。
【００１６】
前記第２端子５は相互に同じ方向に延伸され、かつ並べて設置された接触部５１と固定部５２を備え、前記固定部５２は前記殼体２１により固定される。
【００１７】
前記加圧部材６は前記被圧部４１２を押さえることができる押さえ部６１を備えている。
【００１８】
前記加圧部材６が変位操作を受けてあらかじめ定められた方向に変位すると、該加圧部材６の押さえ部６１が前記可動アーム４１の被圧部４１２を押さえ、前記可動アーム４１を梃子のように角変位させ、さらに前記第１端子４と前記第２端子５に前記第１接点３１と前記第２接点３２をそれぞれ押圧させて電気的接続を形成する。
【００１９】
上述の構造、組み立て設計に基づき、本考案の使用作動状況を以下で説明する。同時に図５、図６の本考案の最良の実施例の実施を示す概略図１と２を示す。これらの図からはっきりと分かるように、本考案のコネクタ２は、フレキシブル回路板３を電気的に接続するために用いることができ、フレキシブル回路板３の電気的接続を行いたいときは、前記フレキシブル回路板３を前記殼体２１内に挿入し、前記フレキシブル回路板３を前記殼体２１に完全に挿入したとき、前記加圧部材６を押し動かすと、前記加圧部材６が変位操作を受けてあらかじめ定められた方向に変位し、前記加圧部材６の押さえ部６１が前記可動アーム４１の被圧部４１２を押さえて、前記連接部４３を支点として前記可動アーム４１を梃子のように角変位させ、さらに前記可動アーム４１の押圧部４１１が下方向に前記フレキシブル回路板３を押さえる。そのうち、本考案のフレキシブル回路板３は第１接点３１と第２接点３２を含み、本考案も第１端子４と第２端子５を含むため、可動アーム４１の押圧部４１１が前記フレキシブル回路板３を下方向に押すと、前記第１端子４と前記第２端子５が前記第１接点３１と前記第２接点３２をそれぞれ押して電気的接続を形成することができる。このように、本考案のコネクタ２は第１接点３１と第２接点３２を備えたフレキシブル回路板３にそれぞれ電気的に接続することができる。
【００２０】
さらに、本考案の第１端子４の固定アーム４２は前記押圧部４１１近くの一端に接触端４２１を形成することができ、前記第１端子４が前記接触端４２１により前記フレキシブル回路板３の第１接点３１に電気的に接続することができる。また、直接可動アーム４１の押圧部４１１を利用して前記第１接点３１に電気的に接続してもよく、前記フレキシブル回路板３の第１接点３１は二面に対応して設置してもよい。
【００２１】
同時に図７、図８、図９に本考案のさらに別の実施例の実施を示す立体図１と断面図２、３をそれぞれ示す。これらの図からはっきりと分かるように、本考案の第２端子５は間をあけた方式で設置してもよく、可動アーム４１の押圧部４１１が下方向に前記フレキシブル回路板３を押圧するとき、同様に第２端子５の接触部５１を該フレキシブル回路板３の第２接点３２に電気的に接続させることができる。
【００２２】
全部の図に示すように、本考案の使用時には、従来の技術と比較して、次のような利点が確実に存在する。本考案のコネクタ２は第１端子４と第２端子５を含み、フレキシブル回路板３は第１接点３１と第２接点３２を含んでいるため、フレキシブル回路板３の電気的接続を行いたいときは、前記加圧部材６を押すと、該加圧部材６が変位操作を受けてあらかじめ定められた方向に変位し、前記加圧部材６の押さえ部６１が前記可動アーム４１の被圧部４１２を押さえ、前記押圧部４１１が下方向に前記フレキシブル回路板３を押さえる。これにより、コネクタ２の前記第１端子４と前記第２端子５を前記第１接点３１と前記第２接点３２にそれぞれ押圧して電気的接続を形成することができる。本考案は２つの接点を備えたフレキシブル回路板３を同時に電気的に接続することができる。
【００２３】
以上の説明は本考案の最良の実施例であり、本考案の特許範囲を限定することはなく、本考案の明細書及び図面の内容を運用した簡易な修飾及び同等効果を持つ構造変化はすべて本考案の特許範囲内に含まれる。
【００２４】
上述をまとめると、本考案のコネクタは使用時に確実にその効果と目的を達することができるため、本考案は実用性に優れた創作であり、実用新案登録出願の要件を満たしているため、法に基づきここに出願を提出するものである。
【符号の説明】
【００２５】
１        コネクタ
１１      殼体
１２      端子
１２１    固定アーム
１２２    可動アーム
１２３    押圧部
１２４    被圧部
１２５    連接部
１３      加圧部材
１３１    カム
１４      フレキシブル回路板
２        コネクタ
２１      殼体
３        フレキシブル回路板
３１      第１接点
３２      第２接点
４        第１端子
４１      可動アーム
４１１    押圧部
４１２    被圧部
４２      固定アーム
４２１    接触端
４３      連接部
５        第２端子
５１      接触部
５２      固定部
６        加圧部材
６１      押さえ部
【図１】
0003157056.tif 000003
【図２】
0003157056.tif 000004
【図３】
0003157056.tif 000005
【図４】
0003157056.tif 000006
【図５】
0003157056.tif 000007
【図６】
0003157056.tif 000008
【図７】
0003157056.tif 000009
【図８】
0003157056.tif 000010
【図９】
0003157056.tif 000011